(57)【要約】【課題】  画質劣化を最小限に抑え、外部ＰＣが要求する様々な表色系の画像引取り要求に対応することができる画像処理装置を提供する。【解決手段】  記憶媒体１１４に蓄積されている機器内部の形式から外部ＰＣ１１７が受信できる形式にデータを変換するデータ変換装置１１５を備え、データ変換装置１１５は、記憶媒体１１４に蓄積された画像データを外部ＰＣ１１７から要求のあった表色系に変換する色補正処理手段１００３と、記憶媒体１１４に蓄積された像域分離信号を色補正処理手段１００３により変換された表色系に応じて融合フォーマットの切り換えで融合する融合処理手段１００４と、融合処理手段１００４により画像データ中に融合された像域分離信号を表色系に応じて抽出する抽出処理手段１００６とを有する。【選択図】        図９
2006033528.tif 000002
【特許請求の範囲】
【請求項１】
記憶媒体に蓄積されている形式のデータから外部機器が受信できる形式のデータを変換するデータ変換装置であって、
記憶媒体に蓄積された画像データを外部機器から要求のあった表色系に変換する色補正処理手段と、前記記憶媒体に蓄積された像域分離信号を前期色補正処理手段により変換された表色系に応じて融合フォーマットを切り換えて融合する融合処理手段と、前記融合処理手段により画像データ中に融合された像域分離信号を表色系に応じて抽出する抽出処理手段と、を備えることを特徴とするデータ変換装置。
【請求項２】
請求項１に記載のデータ変換装置において、前記融合処理手段は、前記外部機器の要求によりＲＧＢ表色系で画像データを送受信する場合、属性判定信号より黒文字判定された領域はＲ＝Ｇ＝Ｂに変換することを特徴とするデータ変換装置。
【請求項３】
請求項１に記載のデータ変換装置において、前記抽出処理手段は、前記外部機器の要求によりＲＧＢ表色系で画像データを送受信するとき、Ｒ＝Ｇ＝Ｂであった場合に黒文字領域と判定することを特徴とするデータ変換装置。
【請求項４】
請求項１に記載のデータ変換装置において、前記融合処理手段は、前記外部機器の要求によりＹＣＣ表色系で画像データを送受信するとき、属性判定信号より黒文字判定された領域はＣｂ＝Ｃｒ＝０に変換することを特徴とするデータ変換装置。
【請求項５】
請求項１に記載のデータ変換装置において、前記抽出手段は、前記外部機器の要求によりＹＣＣ表色系で画像データを送受信するとき、Ｃｂ＝Ｃｒ＝０であった場合に黒文字領域と判定することを特徴とするデータ変換装置。
【請求項６】
請求項１乃至請求項５の何れか一項に記載のデータ変換装置を備えていることを特徴とする画像処理装置。
【発明の詳細な説明】
【技術分野】
【０００１】
本発明は、記憶媒体に蓄積されている形式のデータから外部機器が受信できる形式のデータを変換するデータ変換装置と、そのようなデータ変換装置を備えたデジタル複写機、複合機（複写機能、ファクシミリ機能、プリンタ機能、スキャナ機能等を併せ持つ装置）等の画像処理装置に関わり、特に、読み取った画像データをネットワーク接続された外部機器（クライアントＰＣ）に配信する場合に好適なものである。
【背景技術】
【０００２】
デジタルカラー複写機等の画像処理装置では、ＣＭＹＫ４色プリンタから画像を再生出力する。スキャナで入力される画像の信号属性はＲＧＢであるため、色補正や墨生成処理を行うことにより、プリンタ及びトナー特性に応じたＣＭＹＫ信号へ変換を行いプリンタ出力される。
多くのデジタルカラー複写機は像域分離機能を持っており、黒文字、色文字、網点部、写真部等の像域分離により識別してそれぞれに適した画像処理を行うことにより、混在原稿においても高画質な出力画像が得られる。カラー画像において黒文字部を高品質に再生する黒文字処理部への要求が高く、像域分離で識別した黒文字部に対してＫ単色で再生される処理部は必須になっている。
ＣＭＹで黒文字を再生した場合、Ｃ、Ｍ、Ｙの僅かなバランスのズレでも色付いて見えたり、プリンタ出力時に色ずれが生じて黒文字の周りに色が付いて非常に目に付きやすい劣化につながるが、Ｋ単色で再生すればＣ、Ｍ、Ｙのバランスは関係なく、位置ズレの影響もない。
【０００３】
一方で、像域分離は、同じ黒色であっても黒文字部をＫ単色で再生するのに対して、写真部は、階調性や粒状性を考慮して多くのＣＭＹを使用して再生するに際し大きく異なる処理を像域分離結果によって行うため、黒文字部の識別を誤ると大きな画質の劣化につながる。
近年は、スキャナ入力した画像データをハードディスクに保存しておき、一度プリンタ出力した画像データを再びスキャナで読み取らなくとも再度プリンタ出力できるようにしたいという要求や、ハードディスクに保存した画像データを、ネットワークを介して外部ＰＣに送信した後、再び外部ＰＣから受信してハードディスクに戻して再出力等の要求がなされるようになってきた。
例えば、特許文献１には、黒文字領域を検出する像域分離結果を画像信号に所定のフォーマットで融合する手段と、融合された信号から該分離結果を抽出する手段を具備し、黒文字領域である画素にはＬ信号は画像信号値を用い、ａもしくはｂに０値を設定し、黒文字領域である画素にはＲ、Ｇ、Ｂにそれぞれ互いに等しい値を設定して、スキャナで読み取った画像信号を、画像データメモリを仲介してホストでの処理部後にプリンタへ出力するデジタル複写機が提案されている。
【特許文献１】特開平０８−０９８０１６号公報
【発明の開示】
【発明が解決しようとする課題】
【０００４】
ハードディスクに蓄積された画像がＲＧＢデータである場合、蓄積後の画像処理部で像域分離信号を使用するため一緒にハードディスクに蓄積されている。しかし、ネットワークを介して外部ＰＣに画像を送信する場合、汎用のＲＧＢフォーマットで転送を行うため、像域分離信号のような属性データを画像データと共に転送を行うことができない。
このため、外部ＰＣにネットワークを介して送信した画像を、再び外部ＰＣから受信してハードディスクに蓄積を行い出力処理を行う場合、対応する像域分離信号がないため、黒文字処理部がなされず黒文字の色付きが起こるといった問題があった。
本発明は、画質劣化を最小限に抑え、外部ＰＣが要求する様々な表色系の画像引取り要求に対応することができるデータ変換装置と画像処理装置を提供することを目的とする。
【課題を解決するための手段】
【０００５】
上記目的を達成するために、請求項１記載の発明は、記憶媒体に蓄積されている形式のデータから外部機器が受信できる形式のデータを変換するデータ変換装置であって、記憶媒体に蓄積された画像データを外部機器から要求のあった表色系に変換する色補正処理手段と、前記記憶媒体に蓄積された像域分離信号を前期色補正処理手段により変換された表色系に応じて融合フォーマットを切り換えて融合する融合処理手段と、前記融合処理手段により画像データ中に融合された像域分離信号を表色系に応じて抽出する抽出処理手段と、を備えることを特徴とする。
請求項２記載の発明は、請求項１に記載のデータ変換装置において、前記融合処理手段は、前記外部機器の要求によりＲＧＢ表色系で画像データを送受信する場合、属性判定信号より黒文字判定された領域はＲ＝Ｇ＝Ｂに変換することを特徴とする。
請求項３記載の発明は、請求項１に記載のデータ変換装置において、前記抽出処理手段は、前記外部機器の要求によりＲＧＢ表色系で画像データを送受信するとき、Ｒ＝Ｇ＝Ｂであった場合に黒文字領域と判定することを特徴とする。
請求項４記載の発明は、請求項１に記載のデータ変換装置において、前記融合処理手段は、前記外部機器の要求によりＹＣＣ表色系で画像データを送受信するとき、属性判定信号より黒文字判定された領域はＣｂ＝Ｃｒ＝０に変換することを特徴とする。
請求項５記載の発明は、請求項１に記載のデータ変換装置において、前記抽出手段は、前記外部機器の要求によりＹＣＣ表色系で画像データを送受信するとき、Ｃｂ＝Ｃｒ＝０であった場合に黒文字領域と判定することを特徴とする。
請求項６記載の発明は、請求項１乃至請求項５の何れか一項に記載のデータ変換装置を備えていることを特徴とする。
【発明の効果】
【０００６】
本発明によれば、記憶媒体に蓄積された画像データと像域分離信号に対して、外部機器の要求に応じたデータ変換をして送信する場合に、画像データに像域分離信号を融合して送信することで、汎用的な画像フォーマットで送信が可能になる。また再び受信して印刷する場合でも、画像データから容易に像域分離信号を抽出して抽出した像域分離信号を使用して画像処理を行うことで、画質劣化を最小限に抑えることができる。
【発明を実施するための最良の形態】
【０００７】
以下、本発明の画像処理装置における実施の形態を図に基づいて説明する。
図１は本発明の実施の形態に係るデジタル複写機のブロック図である。以下、その構成を動作と併せて説明する。
原稿を読み取る場合、スキャナ１０１によりセットされた原稿はＲ、Ｇ、Ｂに色分解されたデータとして読み取られる。シェーディング補正処理部１０２では、撮像素子のムラ、光源の照明ムラなどが補正される。ＲＧＢγ補正処理部１０３では、スキャナ１０１からの読み取り信号が反射率データから明度データに変換される。像域分離処理部１０４では、文字部と写真部の判定、及び有彩色、無彩色判定が行われる。
図２は図１の像域分離処理部１０４のブロック図である。
エッジ分離部３０１は原稿中から文字エッジを検出する。網点分離部３０２は原稿中から網点領域を検出する。色分離部３０３は原稿中から有彩部分を検出する。
エッジ分離部３０１、網点分離部３０２の具体的な機能については、例えば、特開平１０−１０８０１２号公報に記載された技術を用いる。この技術を詳しく説明すると以下のようになる。
文字領域は、高レベル濃度の画素と低レベル濃度の画素（以下、黒画素、白画素と呼ぶ）が多く、かつ、エッジ部分では、これらの黒画素及び白画素が連続している。エッジ分離部３０１は、このような黒画素及び白画素それぞれの連続性に基づいて文字エッジを検出する。
【０００８】
図３は図２に示すエッジ分離部３０１のブロック図である。３値化処理部４０１は、２種の閾値ＴＨ１、ＴＨ２を用い入力画像信号（画像データ）４００に対する３値化（白画素＜ＴＨ１、ＴＨ１≦中間調画素＜ＴＨ２、ＴＨ２≦黒画素）を行う。閾値ＴＨ１、ＴＨ２は、例えば、入力画像信号４００が０から２５５までの２５６階調（０＝白）で表される場合にＴＨ１＝２０、ＴＨ２＝８０に選ぶことができる。
３値化後の画像信号に対し、黒画素連続性検出部４０２は黒画素が連続する箇所を、白画素連続性検出部４０３は白画素が連続する箇所を、それぞれパターンマッチングにより検出する。このパターンマッチングには、本実施形態では、図４に示す３×３画素のパターンが用いられる。
黒画素連続性検出部４０２は図４（１）に示したいずれかのパターンにマッチングした画素（この例では３×３画素の中央画素）を黒連続画素とし、同様に、白画素連続性検出部４０３は図４（２）に示したいずれかのパターンにマッチングした画素（３×３画素の中央画素）を白連続画素とする。
近傍検出部４０４では、黒画素連続性検出部４０２及び白画素連続性検出部４０３の検出結果について、黒連続画素と白連続画素が近傍にあるか否かを調べることにより、エッジ領域と非エッジ領域を判定する。
より具体的に述べれば、本実施形態にあっては、５×５画素単位のサイズのブロック毎に、その内部に黒連続画素と白連続画素がそれぞれ１つ以上存在するときに、そのブロックをエッジ領域と判定し、そうでないときに、そのブロックを非エッジ領域と判定する。そして、エッジ領域と判定したブロック内の画素に対応して“１”を出力し、非エッジ領域と判定したブロック内の画素に対応して“０”を出力する。
網点領域では、高い濃度値を持つ画素と低い濃度値を持つ画素が交互に周期的に現れる。網点分離部３０２は、この高い濃度値または低い濃度値を持つ極値画素を検出することによって網点領域を識別する。
【０００９】
図５は図２に示す網点分離部３０２のブロック図である。極値（ピーク）画素検出部６０１は、演算により極値画素を検出する。本実施形態では、図６に示すように、３×３画素の中心画素を注目画素として、次の条件Ａ、Ｂを同時に満たすときに、中心画素を極値画素として検出する。
条件Ａ：中心画素の濃度レベル（Ｌ）が周囲のどの画素の濃度レベルより高い、または低い。
条件Ｂ：中心画素の濃度レベル（Ｌ）と、中心画素を挟んで対角線上にあるペア画素の濃度レベル（ａ，ｂ）が、４ペアすべてについて、｜２×Ｌ−ａ−ｂ｜＞ＴＨ３の関係にある。ただし、ＴＨ３は固定の閾値である。
網点領域検出部６０２は、４×４画素を１単位とするブロックにおいて、極値画素検出部６０１で検出された極値画素が１つ以上存在するならば同ブロックを網点候補領域と判定し、極値画素が１つも存在しなければ同ブロックを非網点候補領域と判定する。
以下、このブロック単位で網点候補領域の判定を行う。この判定結果に対して、網点領域補正部６０３は最終的な網点／非網点の判定を行う。本実施形態では、図７に示すように、注目ブロック（４×４画素）を中心とした３×３のブロックにおいて、４ブロック以上が網点候補領域であれば注目ブロックを網点領域とし、そうでなければ注目ブロックを非網点領域とする。
そして、網点領域とされたブロック内の画素に対応して“１”を出力し、非網点領域とされたブロック内の画素に対応して“０”を出力する。色分離部３０３の具体的構成は、特開２０００−１２５１４０公報に記載されている。
総合判定部３０４は以上の３つから得られた分離結果（１，０）を受けて、図８に示すような判定を行う。つまり、エッジ分離（１）、網点分離（０）、色分離（０）により黒文字領域信号を発生し、エッジ分離（１）、網点分離（０）、色分離（１）により色文字領域信号を発生し、それ以外は全て絵柄領域信号を発生する。
【００１０】
像域分離処理部１０４により判定された文字／絵柄領域信号は２ビット像域分離信号として図１のフィルタ処理部１０５に送られる。フィルタ処理部１０５は、像域分離信号に基づいて強調、平滑フィルタの制御を行っている。
フィルタ処理をされたＲＧＢの画像信号は第１の色補正処理部１０６によりＲ’Ｇ’Ｂ’の色信号に変換される。Ｒ’Ｇ’Ｂ’はｓＲＧＢ、ＮＴＳＣもしくはメーカー独自で規格を設けたＲＧＢ信号である。また、第１の色補正処理部１０６を用いずＲＧＢ信号そのままを使用してもよい。
変倍処理部１０７では縦横変倍が行われ、変倍処理部後のＲ’Ｇ’Ｂ’各色８ビットの色データは固定長の圧縮器１０８によって圧縮データに変換させられる。圧縮／伸張方式は、汎用のＪＰＥＧ方式やＪＰＥＧ２０００方式などでもよい。
圧縮器１０８の出力は汎用バスＩ／Ｆ１１８につながっている。圧縮後のＲ’Ｇ’Ｂ’の画像データは汎用バスＩ／Ｆ１１８を通ってプリンタコントローラ１１３に送られる。プリンタコントローラ１１３は半導体メモリ１１９を持ち、送られたデータを蓄積するようになっている。このとき像域分離信号も圧縮された画像データと共に汎用バスＩ／Ｆ１１８を介して半導体メモリ１１９に蓄積される。
本実施形態のデジタル複写機のスキャナ読み取り解像度は６００ｄｐｉなのでコピー時の蓄積解像度は６００ｄｐｉである。蓄積されたデータは随時ＨＤＤ１１４に書き込まれる。これはプリントアウト時に用紙が詰まり、印字が正常に終了しなかった場合でも再び原稿を読み直すのを避けるため、また電子ソートを行うためである。近年はこれだけでなく読み取った原稿を蓄積しておき必要なときに再出力する機能が追加されている。
出力する場合はＨＤＤ１１４内のＲＧＢの圧縮データは一度半導体メモリ１１９に展開され、次に汎用バスＩ／Ｆ１１８を通りエンジン部に送られる。エンジン部の伸張器１０９により再びＲＧＢ８ビットの画像データに変換させられる。このとき、画像に対応する像域分離信号もＨＤＤ１１４から半導体メモリ１１９に展開され、汎用バスＩ／Ｆ１１８を通りエンジン部に送られる。
【００１１】
伸張された画像データは第２の色補正処理部１１０によりＲＧＢ信号からＣＭＹＫ信号に変換される。このとき、像域分離信号は黒文字処理部やＵＣＲ率の制御に用いられる。その後、ＣＭＹＫの各色に対してプリンタγ補正処理部１１１ではプリンタ出力が濃度データになるように補正される。
その後作像ユニットに合わせた中間調処理を中間調処理部１１２で行い、４感光体ドラム機であった場合、ＣＭＹＫ各版並列に処理部されるため、各版の作像タイミングに合わせるよう各版の出力Ｉ／Ｆディレイメモリをもちディレイ調整を行った後、画像データは作像部に送られ転写紙に出力される。
また、このようなコピー動作以外にも外部機器である外部ＰＣ（クライアントＰＣ）１１７からプリント要求があった場合のプリンタ動作も存在する。外部ＰＣ１１７より送られてきた描画命令（ＰＤＬ）はプリンタコントローラ１１３のＣＰＵより解釈され、ＲＧＢ８ビットイメージデータが作成されバンドメモリに蓄積される。
このとき、オブジェクト中の文字、グラフィック、イメージなどの属性データもページメモリに蓄積される。バンドメモリに格納されたＲＧＢ８ビットイメージデータは固定長の圧縮器１０８で圧縮されＨＤＤ１１４に蓄積される。圧縮／伸張方式は、汎用のＪＰＥＧ方式やＪＰＥＧ２０００方式などでもよい。
ＨＤＤ１１４に蓄積されたＲＧＢ圧縮データとページメモリに蓄積された属性データは汎用バスＩ／Ｆ１１８を介してエンジン部の伸張器１０９に送られ伸張される。伸張されたＲＧＢ８ビットイメージデータは属性データに従いエンジン部の第２の色補正処理部１１０でＲＧＢ信号からＣＭＹＫ信号に変換され、さらにプリンタγ補正、中間調処理が行われ転写紙に出力される。
このような画像処理装置（本実施形態ではデジタル複写機）において近年ＨＤＤ１１４に蓄積されたデータを外部ＰＣ１１７に送信して利用したいという要求が顕在化してきている。
本発明は上記プリント出力要求があったカラー画像データにおいて、ＨＤＤ１１４に蓄積された画像データを再び外部ＰＣ１１７で取得し閲覧、加工するために、ＨＤＤ１１４に蓄積された画像データの解像度及び表色系を、外部ＰＣ１１７で閲覧可能、または、外部ＰＣ１１７が要求しているフォーマットにする（一致させる）必要がある。
【００１２】
図９は図１に示すにデータ変換装置１１５において、画像データを外部ＰＣ１１７に送信する際のブロック図である。まず、汎用バスＩ／Ｆ１１８を介してＨＤＤ１１４に蓄積された画像データと像域分離データが伸張器１００１に送られる。伸張器１００１によって固定長圧縮されていた画像データは伸張される。その後、ｄｐｉ変換処理部１００２によって画像データと像域分離信号は、外部ＰＣ１１７の要求に応じたｄｐｉ変換が行われる。
色補正処理部１００３では、ＨＤＤ１１４に蓄積された画像データの表色系から外部ＰＣ１１７の要求に応じた表色系に変換を行う。外部ＰＣ１１７の要求がｓＲＧＢであった場合、本実施形態においてＨＤＤ１１４に蓄積された画像データがメーカー独自に規格したＲＧＢであるため、ＲＧＢデータからｓＲＧＢデータに変換がなされる。
融合処理部１００４においては、前記色変換で変換されたｓＲＧＢデータを像域分離信号が黒文字領域である画素に対して、コードの埋め込みを実施する。コードの埋め込みは、外部ＰＣ１１７の要求がｓＲＧＢデータでの要求であり、色補正処理部１００３でｓＲＧＢデータに画像データが変換されているため、ＲＧＢ表色系の融合フォーマットが選択される。ＲＧＢ表色系の融合フォーマットは、像域分離信号が黒文字であった場合にＲ＝Ｇ＝Ｂデータを黒文字コードとして、Ｒ信号とＢ信号をＧ信号で置き換える。
コード埋め込み後の画像データは、圧縮器１００５によりＪＰＥＧ等の汎用圧縮処理を施した後、汎用バスＩ／Ｆ１１８から外部インターフェース１１６を介して外部ＰＣ１１７に送信される。外部ＰＣ１１７では画像中のパンチ穴やゴミをマスクしたり、コメント文の追記がなされる。編集された画像データは外部ＰＣ１１７から外部インターフェース１１６を介してデータ変換装置１１５に戻される。
【００１３】
図１０は図１に示すデータ変換装置１１５において、画像データを外部ＰＣ１１７から受信する際のブロック図である。汎用バスＩ／Ｆ１１８を介して画像データが伸張器１００１に送られる。伸張器１００１によって画像データをＪＰＥＧ等の汎用伸張処理する。伸張した画像データのヘッダ情報から抽出処理部１００６でＲＧＢデータを認識して黒文字コードＲ＝Ｇ＝Ｂの抽出を行い、抽出結果を像域分離信号とする。
色補正処理部１００３では、ｓＲＧＢデータをメーカー独自に規格したＲＧＢデータに変換する。ｄｐｉ変換処理部１００２では、ＨＤＤ１１４内の解像度が６００ｄｐｉであるため、受信した画像データのヘッダ情報の解像度から６００ｄｐｉへのｄｐｉ変換が画像データと前記抽出された像域分離信号に施される。
ｄｐｉ変換後のＲＧＢ各色８ビットの色データは固定長の圧縮器１００５によって圧縮データに変換させられる。圧縮された画像データと共に像域分離信号が汎用バスＩ／Ｆ１１８を通ってプリンタコントローラ１１３に送られ、半導体メモリ１１９に蓄積され随時ＨＤＤ１１４に書き込まれる。
半導体メモリ１１９に蓄積された画像データと像域分離信号は、汎用バスＩ／Ｆ１１８を通り伸張器１０９に送られる。伸張器１０９により再びＲＧＢ８ビットの画像データに変換させられる。このとき、画像に対応する像域分離信号もＨＤＤ１１４から半導体メモリ１１９に展開され、汎用バスＩ／Ｆ１１８を通り送られる。
伸張器１０９によりＲＧＢ８ビットに展開された画像データと像域分離信号は第２の色補正処理部１１０に送られる。第２の色補正処理部１１０によりＲＧＢ信号からＣＭＹＫ信号に変換される。このとき、像域分離信号は黒文字処理部やＵＣＲ率の制御に用いられる。その後、ＣＭＹＫの各色に対してプリンタγ処理部１１１でプリンタγ処理を行う。
その後作像ユニットに合わせた中間調処理を中間調処理部１１２で行い、４感光体ドラム機であった場合、ＣＭＹＫ各版並列に処理されるため、各版の作像タイミングに合わせるよう各版の出力Ｉ／Ｆディレイメモリをもちディレイ調整を行った後、画像データは作像部に送られ転写紙に出力される。
【００１４】
次に外部ＰＣ１１７の要求がｓＹＣＣ表色系であった場合の説明を行う。まず、汎用バスＩ／Ｆ１１８を介してＨＤＤ１１４に蓄積された画像データと像域分離データが伸張器１００１に送られる。伸張器１００１によって固定長圧縮されていた画像データは伸張される。その後、ｄｐｉ変換処理部１００２によって画像データと像域分離信号は、外部ＰＣ１１７の要求に応じたｄｐｉ変換が行われる。
色補正処理部１００３では、外部ＰＣ１１７の要求がｓＹＣＣであり、メーカー独自に規格したＲＧＢであるため、ＲＧＢデータからｓＹＣＣデータに変換がなされる。融合処理部１００４においては、前記色変換で変換されたｓＹＣＣデータの像域分離信号が黒文字領域である画素に対して、コードの埋め込みを実施する。
コードの埋め込みでは、外部ＰＣ１１７の要求がｓＹＣＣデータでの要求であり、色補正処理部１００３でｓＲＧＢデータに画像データが変換されているため、ＲＧＢ表色系の融合フォーマットが選択される。ＹＣＣ表色系の融合フォーマットは、像域分離信号が黒文字であった場合にＣｂ＝Ｃｒ＝０データを黒文字コードとして、Ｃｂ信号、Ｃｒ信号の置き換えを行う。
コード埋め込み後の画像データは、圧縮器１００５によりＪＰＥＧ等の汎用圧縮処理を施した後、汎用バスＩ／Ｆ１１８から外部インターフェース１１６を介して外部ＰＣ１１７に送信される。
外部ＰＣ１１７では画像中のパンチ穴やゴミをマスクしたり、コメント文の追記がなされる。編集された画像データは外部ＰＣ１１７から外部インターフェース１１６を介してデータ変換装置１１５に戻される。
【図面の簡単な説明】
【００１５】
【図１】本発明の実施の形態に係るデジタル複写機のブロック図。
【図２】図１の像域分離処理部のブロック図。
【図３】図２に示すエッジ分離部のブロック図。
【図４】３×３画素のパターンを示す図。
【図５】図２に示す網点分離部のブロック図。
【図６】中心画素を極値画素として検出する様子を示す図。
【図７】注目ブロックを網点領域とするか否かを示す図。
【図８】図２に示す総合判定部の判定結果を示す図。
【図９】図１に示すにデータ変換装置において、画像データを外部ＰＣに送信する際のブロック図。
【図１０】図１に示すにデータ変換装置において画像データを外部ＰＣから受信する際のブロック図。
【符号の説明】
【００１６】
１１４  ＨＤＤ（記憶媒体）、１１５  データ変換装置、１００３  色変換処理部（色変換処理手段）、１００４  融合処理部（融合処理手段）、１００６  抽出処理部（抽出処理手段）
【図１】
2006033528.tif 000003
【図２】
2006033528.tif 000004
【図３】
2006033528.tif 000005
【図４】
2006033528.tif 000006
【図５】
2006033528.tif 000007
【図６】
2006033528.tif 000008
【図７】
2006033528.tif 000009
【図８】
2006033528.tif 000010
【図９】
2006033528.tif 000011
【図１０】
2006033528.tif 000012